(57)【要約】【課題】差動信号のインピーダンス整合を崩さずに、差動信号配線群の両側に配置される配線群の中で、同一の信号を伝送する配線、あるいは、同一の電源電圧を供給する配線を共通接続する。【解決手段】フレキシブル配線基板は、差動信号を伝送する複数対の差動信号配線を含む差動信号配線群と、前記差動信号配線群の一方の側に配置される配線群Ａと、前記差動信号配線群の他方の側に配置される配線群Ｂとを有し、前記差動信号配線群は、前記フレキシブル配線基板の第１面に形成され、前記フレキシブル配線基板の第１面と反対側の第２面には、第１ＧＮＤパターンが形成され、前記第１ＧＮＤパターンは、少なくとも前記差動信号配線群を覆うように形成され、前記配線群Ａの中の少なくとも１本と、前記配線群Ｂの中の少なくとも１本とは、同一の信号を伝送する配線、あるいは、同一の電源電圧を供給する配線である。【選択図】図８
2009122318.tif 000002
【特許請求の範囲】
【請求項１】
少なくとも第１の基板を有する表示パネルと、
前記第１の基板の少なくとも一辺の縁部に機械的・電気的に接続されるフレキシブル配線基板とを備え、
前記フレキシブル配線基板は、差動信号を伝送する複数対の差動信号配線を含む差動信号配線群と、
前記差動信号配線群の一方の側に配置される配線群Ａと、
前記差動信号配線群の他方の側に配置される配線群Ｂとを有し、
前記差動信号配線群は、前記フレキシブル配線基板の第１面に形成され、
前記フレキシブル配線基板の第１面と反対側の第２面には、第１ＧＮＤパターンが形成され、
前記第１ＧＮＤパターンは、少なくとも前記差動信号配線群を覆うように形成され、
前記配線群Ａの中の少なくとも１本と、前記配線群Ｂの中の少なくとも１本とは、同一の信号を伝送する配線、あるいは、同一の電源電圧を供給する配線であることを特徴とする表示装置。
【請求項２】
前記第１の基板には、ドライバ回路を搭載した半導体チップが実装されており、
前記配線群Ａの中の少なくとも１本と、前記配線群Ｂの中の少なくとも１本とは、前記半導体チップの所定の出力電極から出力され、前記半導体チップの所定の入力電極に入力される信号を伝送する配線であることを特徴とする請求項１に記載の表示装置。
【請求項３】
前記フレキシブル配線基板には、複数の発光ダイオードが実装されており、
前記配線群Ａの中の少なくとも１本と、前記配線群Ｂの中の少なくとも１本とは、前記複数の発光ダイオードの電源電圧を供給する配線であることを特徴とする請求項１に記載の表示装置。
【請求項４】
前記フレキシブル配線基板の第１面と反対側の第２面には、第１ＧＮＤメッシュパターンと、第２ＧＮＤメッシュパターンとが形成され、
前記第１ＧＮＤメッシュパターンは、少なくとも前記差動信号配線群を覆うように形成され、
前記第２ＧＮＤメッシュパターンは、前記第１ＧＮＤメッシュパターンが形成された領域以外の領域に形成され、
前記第２ＧＮＤメッシュパターンは、メッシュの目の大きさが前記第１ＧＮＤメッシュパターンよりも大きいことを特徴とする請求項１ないし請求項３のいずれか１項に記載の表示装置。
【請求項５】
前記フレキシブル配線基板は、前記第１の基板に形成された電極に電気的・機械的に接続される接続端子を含む第１の部分と、
前記第１の部分に連続する第２の部分とから構成され、
前記第１の部分の、前記第１の基板の前記少なくとも一辺に平行な方向の長さは、前記第２の部分の、前記第１の基板の前記少なくとも一辺に平行な方向の長さよりも長く、
前記差動信号配線群は、前記フレキシブル配線基板の前記第１の部分では前記第１面に形成され、前記フレキシブル配線基板の前記第２の部分では前記第２面に形成され、
前記第１ＧＮＤパターンは、前記フレキシブル配線基板の前記第１の部分にのみ形成されていることを特徴とする請求項１ないし請求項３のいずれか１項に記載の表示装置。
【請求項６】
前記フレキシブル配線基板は、前記第１の基板に形成された電極に電気的・機械的に接続される接続端子を含む第１の部分と、
前記第１の部分に連続する第２の部分とから構成され、
前記第１の部分の、前記第１の基板の前記少なくとも一辺に平行な方向の長さは、前記第２の部分の、前記第１の基板の前記少なくとも一辺に平行な方向の長さよりも長く、
前記差動信号配線群は、前記フレキシブル配線基板の前記第１の部分では前記第１面に形成され、前記フレキシブル配線基板の前記第２の部分では前記第２面に形成され、
前記第１ＧＮＤメッシュパターン、および前記第２ＧＮＤメッシュパターンは、前記フレキシブル配線基板の前記第１の部分にのみ形成されていることを特徴とする請求項４に記載の表示装置。
【請求項７】
前記第１の部分における前記各対の差動信号配線の正極信号用の配線と、負極信号用の配線との間隔は、前記第２の部分における前記各対の差動信号配線の正極信号用の配線と、負極信号用の配線との間隔よりも狭いことを特徴とする請求項５または請求項６に記載の表示装置。
【請求項８】
前記表示装置は、液晶表示装置であり、
前記表示パネルは、第１の基板と、第２の基板と、前記第１の基板と前記第２の基板との間に挟持される液晶層とを有する液晶表示パネルであることを特徴とする請求項１ないし請求項７のいずれか１項に記載の表示装置。
【発明の詳細な説明】
【技術分野】
【０００１】
本発明は、表示装置に係り、特に、本体側と表示パネルとの間において高速差動信号方式で信号を伝送する際に有効な技術に関する。
【背景技術】
【０００２】
携帯電話機などの携帯機器の表示部として使用されるＴＦＴ（Ｔhin Ｆilm Ｔransistor）方式の液晶表示モジュールは、小型の液晶表示パネルと、この液晶表示パネルを収納する樹脂モールドフレームとを備え、液晶表示パネルは、樹脂モールドフレームに設けられた凹部に収納されている。
液晶表示パネルは、第１の基板と、第２の基板と、これら第１の基板と第２の基板との間に挟持される液晶層とを有する。第１及び第２の基板の各々の平面形状は、長辺及び短辺を有する長方形で形成され、第１の基板の長辺は、第２の基板の長辺よりも長く、第１の基板は、第２の基板と重畳しない領域（以下、非重畳領域という）を有する。
第１の基板の非重畳領域には、ドライバ回路を搭載した半導体チップが実装されており、更に、この第１の基板の非重畳領域には、フレキシブル配線基板の一端側が接続される。なお、このような、液晶表示パネルは、例えば、下記、特許文献１、特許文献２に記載されている。
【０００３】
なお、本願発明に関連する先行技術文献としては以下のものがある。
【特許文献１】特開２００７−１１４４４４号公報
【特許文献２】特開２００７−１６３５５６号公報
【発明の開示】
【発明が解決しようとする課題】
【０００４】
最近、前述の特許文献１、特許文献２に記載されているような携帯電話機の液晶表示パネルでは、携帯電話機のプロセッサに高速差動信号の出力機能（トランスミッタ回路）を内蔵し、かつ、液晶表示パネルの半導体チップに受信機能（レシーバー回路）を内蔵することにより、フレキシブル配線基板上を高速差動信号で伝送させることが要求されている。
しかしながら、前述したような液晶表示パネルのフレキシブル配線基板は、一般的に単層、あるいは、２層で構成されており、高速差動信号の配線ルールに準じて配線を考えると、下記のような問題点があった。
ドライバ回路を搭載した半導体チップの入力電極の中で、高速差動信号が入力される入力電極は、半導体チップの比較的中央部に存在することが多く、また、電子部品が分散して配置される場合などでは、高速差動信号配線群の両側に、同一の信号を伝送する配線と、同一の電源電圧を供給する配線とを配置する必要がある。
それらは、インピーダンス整合を崩さないように、高速差動信号配線群を避けて共通接続する必要があるが、液晶表示パネルのフレキシブル配線基板は、通常、単層のフレキシブル配線基板、または、２層のフレキシブル配線基板を採用しているため、フレキシブル配線基板上で共通接続することができない。
例えば、フレキシブル配線基板上に、複数の発光ダイオードを実装し、かつ複数の発光ダイオードを並列駆動する場合には、各発光ダイオードのアノード電圧を共通に接続する必要があるが、高速差動信号の配線が、発光ダイオードと発光ダイオードとの間を通過する場合には、複数の発光ダイオードのアノード電源電圧配線をすべてフレキシブル配線基板上で共通接続することができない。
本発明は、前記従来技術の問題点を解決するためになされたものであり、本発明の目的は、差動信号のインピーダンス整合を崩さずに、差動信号配線群の両側に配置される配線群の中で、同一の信号を伝送する配線、あるいは、同一の電源電圧を供給する配線を共通接続することが可能となる技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）少なくとも第１の基板を有する表示パネルと、前記第１の基板の少なくとも一辺の縁部に機械的・電気的に接続されるフレキシブル配線基板とを備え、前記フレキシブル配線基板は、差動信号を伝送する複数対の差動信号配線を含む差動信号配線群と、前記差動信号配線群の一方の側に配置される配線群Ａと、前記差動信号配線群の他方の側に配置される配線群Ｂとを有し、前記差動信号配線群は、前記フレキシブル配線基板の第１面に形成され、前記フレキシブル配線基板の第１面と反対側の第２面には、第１ＧＮＤパターンが形成され、前記第１ＧＮＤパターンは、少なくとも前記差動信号配線群を覆うように形成され、前記配線群Ａの中の少なくとも１本と、前記配線群Ｂの中の少なくとも１本とは、同一の信号を伝送する配線、あるいは、同一の電源電圧を供給する配線である。
（２）（１）において、前記第１の基板には、ドライバ回路を搭載した半導体チップが実装されており、前記配線群Ａの中の少なくとも１本と、前記配線群Ｂの中の少なくとも１本とは、前記半導体チップの所定の出力電極から出力され、前記半導体チップの所定の入力電極に入力される信号を伝送する配線である。
（３）（１）において、前記フレキシブル配線基板には、複数の発光ダイオードが実装されており、前記配線群Ａの中の少なくとも１本と、前記配線群Ｂの中の少なくとも１本とは、前記複数の発光ダイオードの電源電圧を供給する配線である。
【０００６】
（４）（１）ないし（３）の何れかにおいて、前記フレキシブル配線基板の第１面と反対側の第２面には、第１ＧＮＤメッシュパターンと、第２ＧＮＤメッシュパターンとが形成され、前記第１ＧＮＤメッシュパターンは、少なくとも前記差動信号配線群を覆うように形成され、前記第２ＧＮＤメッシュパターンは、前記第１ＧＮＤメッシュパターンが形成された領域以外の領域に形成され、前記第２ＧＮＤメッシュパターンは、メッシュの目の大きさが前記第１ＧＮＤメッシュパターンよりも大きくされる。
（５）（１）ないし（３）の何れかにおいて、前記フレキシブル配線基板は、前記第１の基板に形成された電極に電気的・機械的に接続される接続端子を含む第１の部分と、前記第１の部分に連続する第２の部分とから構成され、前記第１の部分の、前記第１の基板の前記少なくとも一辺に平行な方向の長さは、前記第２の部分の、前記第１の基板の前記少なくとも一辺に平行な方向の長さよりも長く、前記差動信号配線群は、前記フレキシブル配線基板の前記第１の部分では前記第１面に形成され、前記フレキシブル配線基板の前記第２の部分では前記第２面に形成され、前記第１ＧＮＤパターンは、前記フレキシブル配線基板の前記第１の部分にのみ形成されている。
【０００７】
（６）（４）において、前記フレキシブル配線基板は、前記第１の基板に形成された電極に電気的・機械的に接続される接続端子を含む第１の部分と、前記第１の部分に連続する第２の部分とから構成され、前記第１の部分の、前記第１の基板の前記少なくとも一辺に平行な方向の長さは、前記第２の部分の、前記第１の基板の前記少なくとも一辺に平行な方向の長さよりも長く、前記差動信号配線群は、前記フレキシブル配線基板の前記第１の部分では前記第１面に形成され、前記フレキシブル配線基板の前記第２の部分では前記第２面に形成され、前記第１ＧＮＤメッシュパターン、および前記第２ＧＮＤメッシュパターンは、前記フレキシブル配線基板の前記第１の部分にのみ形成されている。
（７）（５）または（６）において、前記第１の部分における前記各対の差動信号配線の正極信号用の配線と、負極信号用の配線との間隔は、前記第２の部分における前記各対の差動信号配線の正極信号用の配線と、負極信号用の配線との間隔よりも狭くなっている。
（８）（１）ないし（７）の何れかにおいて、前記表示装置は、液晶表示装置であり、前記表示パネルは、第１の基板と、第２の基板と、前記第１の基板と前記第２の基板との間に挟持される液晶層とを有する液晶表示パネルである。
【発明の効果】
【０００８】
本願において開示される発明のうち代表的なものによって得られる効果を簡単に説明すれば、下記の通りである。
本発明によれば、差動信号のインピーダンス整合を崩さずに、差動信号配線群の両側に配置される配線群の中で、同一の信号を伝送する配線、あるいは、同一の電源電圧を供給する配線を共通接続することが可能となる。
【発明を実施するための最良の形態】
【０００９】
以下、本発明を液晶表示装置に適用した実施例を図面を参照して詳細に説明する。
なお、実施例を説明するための全図において、同一機能を有するものは同一符号を付け、その繰り返しの説明は省略する。
本発明の実施例の液晶表示装置は、小型の液晶表示パネルを有するＴＦＴ方式の液晶表示モジュールであり、携帯電話機などの携帯機器の表示部として使用される。
図１は、本発明の実施例の液晶表示モジュールの液晶表示パネルの概略構成を示すブロック図である。
図１に示すように、本実施例の液晶表示パネルは、画素電極、薄膜トランジスタ等が設けられた第１の基板（ＴＦＴ基板、アクティブマトリクス基板ともいう）３と、カラーフィルタ等が形成される第２の基板（対向基板ともいう）２とを、所定の間隙を隔てて重ね合わせ、該両基板間の周縁部近傍に枠状に設けたシール材により、両基板を貼り合わせると共に、シール材の一部に設けた液晶封入口から両基板間のシール材の内側に液晶を封入、封止し、さらに、第１の基板の外側に下側偏光板（図示せず）と、第２の基板の外側に上側偏光板１を貼り付けて構成される。
このように、本実施例の液晶表示パネルは、液晶が一対の基板の間に挟持された構造となっている。
【００１０】
また、第１の基板３は、第２の基板２よりも大きな面積を有し、第１の基板３の、第２の基板２と対向しない領域には、ドライバ回路を構成する半導体チップ４が実装され、さらに、当該領域の一辺の周辺部には、フレキシブル配線基板（ＦＰＣ）５が実装される。なお、基板の材質は絶縁性の基板であればよく、ガラスに限られず、プラスチックなどでもよい。
また、対向電極は、ＴＮ方式やＶＡ方式の液晶表示パネルであれば対向基板側に設けられる。ＩＰＳ方式の場合は、ＴＦＴ基板側に設けられる。
なお、本発明は液晶パネルの内部構造とは関係がないので、液晶パネルの内部構造の詳細な説明は省略する。さらに、本発明は、どのような構造の液晶パネルであっても適用可能である。
さらに、本実施例の液晶表示モジュールは、液晶表示パネルの裏側に配置されるバックライトを有するが、本発明はバックライトの内部構造とは関係がないので、バックライトの内部構造の詳細な説明は省略する。
【００１１】
図２は、本発明の実施例の液晶表示モジュールを表側（液晶表示パネル側、前面側、観察者側）から見た図、図３は、本発明の実施例の液晶表示モジュールを裏側（導光板側、背面側、裏側）から見た図、図４は、図３においてフレキシブル配線基板５を展開した状態を示す図である。
図２〜図４に示すように、第１の基板３と第２の基板２とから成る液晶表示パネルは、樹脂モールドフレーム（樹脂成形体、以下、単にモールドという）６の内部に配置される。また、モールド６の裏側には反射シート７がモールドの側壁に貼り付けられて配置される。
ここで、フレキシブル配線基板５は折り曲げられて、電話機本体部との接続端子部分１０は、液晶表示モジュールの裏側から側面に突出するようにされる。また、フレキシブル配線基板５の第１面には、高速差動信号用配線群１７と、高速差動信号用配線群１７の両側に配置される配線群（２１Ａ，２１Ｂ）と、光源となる４個の白色発光ダイオード（ＬＥＤ）１４とが形成される。なお、高速差動信号用配線群１７、配線群（２１Ａ，２１Ｂ）は複数の配線で構成されるが、図４では１本のみを図示している。
さらに、フレキシブル配線基板５の第１面と反対側の第２面には、抵抗、コンデンサなどの電子部品９と、高速差動信号用終端抵抗群１１と、高速差動信号用のＧＮＤメッシュパターン１８（本発明の第１ＧＮＤパターン）とが形成さる。ここで、高速差動信号用終端抵抗群１１は、４個の終端抵抗で構成される。
【００１２】
また、４個の白色発光ダイオード１４は、モールド６に形成した空間１５内に配置される。なお、１６はフレキシブル配線基板５とモールド６とを接着するための両面テープであり、１３は半導体チップ４の高速差動信号が入力される入力電極（バンプ電極）を示す。
なお、フレキシブル配線基板５上で、配線が存在しない空き領域には、部品半田付け工程での熱履歴によるフレキシブル配線基板５の部分収縮抑制、および配線から放出される電磁波の遮へいの目的から、ＧＮＤメッシュパターン（本発明の第２ＧＮＤメッシュパターン；図示せず）を敷き詰めるが、半田付け工程後にフレキシブル配線基板５が反った場合に手等で反りを修正しやすいよう、メッシュの目の大きさは比較的大きくとっている。目の大きさの目安としては０．１ｍｍ□が多い。
これに対して、高速差動信号のインピーダンス整合用の高速差動信号用のＧＮＤメッシュパターン１８は、電気的特性重視のため、通常フレキシブル配線基板５上に形成されるＧＮＤメッシュパターンよりも目の大きさが細かくされる。即ち、高速差動信号用のＧＮＤメッシュパターン１８の目の大きさは、０．１ｍｍ□よりも小さくなる。なお、高速差動信号用のＧＮＤメッシュパターン１８に代えて、面状のＧＮＤパターンを採用してもよい。
【００１３】
以下、図５を用いて、高速差動信号の伝送方式について説明する。なお、図５のＢが、本実施例の液晶表示モジュール外の領域、図５のＡ１が本実施例の液晶表示モジュールの領域、図５のＡ２が第１の基板３の領域、図５のＰＡＳがフレキシブル配線基板５の領域を表す。
本実施例では、携帯電話機のプロセッサに高速差動信号の出力機能（トランスミッタ回路（ＯＣＳ）が内蔵され、かつ、半導体チップ４の内部に受信機能（レシーバー回路（ＲＥＳ））が内蔵される。高速差動信号は、トランスミッタ回路（ＯＣＳ）と、半導体チップ４内のレシーバー回路（ＲＥＳ）との間で伝送される。
高速差動信号方式は、種々の方式が知られているが、本実施例の高速差動信号方式は、ＭＶＩ３インタフェース方式である。
一般に、高速差動信号方式では、正極信号用の配線３１と、負極信号用の配線３２とが対線を構成するが、ＭＶＩ３インタフェース方式では、この正極信号用の配線３１と、負極信号用の配線３２との対線が４組存在する。この正極信号用の配線３１と、負極信号用の配線３２との間には終端抵抗３３が接続される。したがって、図３、図４に示す高速差動信号用終端抵抗群１１は、４個の終端抵抗３３で構成されることになる。
【００１４】
また、ＭＶＩ３インタフェース方式の配線ルールは、以下の通りである。
（１）正極信号用の配線３１と、負極信号用の配線３２との対線との間の特性インピーダンス（Ｚｄｉｆ）が１００Ω、正極信号用の配線３１とＧＮＤ（接地電子）との間、および、負極信号用の配線３２とＧＮＤとの間の特性インピーダンスは共に５０Ω。
そのため、フレキシブル配線基板５の第１面に、正極信号用の配線３１と、負極信号用の配線３２との対線を形成する場合、フレキシブル配線基板５の第２面の、正極信号用の配線３１と、負極信号用の配線３２との対線が形成された領域には、ＧＮＤベタ配線パターン（面状のパターン）、または、ＧＮＤメッシュ配線パターンとする必要がある。
また、図６に示すように、対線を構成する正極信号用の配線３１と、負極信号用の配線３２の両側には、ＧＮＤ用配線３５を配置する必要がある。
【００１５】
図２の１３に示すように、半導体チップ４の高速差動信号が入力される入力電極は、半導体チップ４の比較的中央部に配置される。
そのため、図７に示すように、フレキシブル配線基板５上に、白色発光ダイオード１４を実装し、かつ、その白色発光ダイオード１４を並列駆動する場合には、白色発光ダイオード１４のアノード電圧を、フレキシブル配線基板５を横切るように形成された配線により共通接続する必要がある。
しかしながら、本実施例のフレキシブル配線基板５は、２層フレキシブル配線基板であるため、高速差動信号用配線群１７が２つの白色発光ダイオード１４の間を通過する場合には、フレキシブル配線基板５を横切るような配線を形成することができないので、４個の白色発光ダイオード１４のアノード電源電圧配線１９を、すべてフレキシブル配線基板５上で共通接続することができない。なお、図７は、本発明の問題点を説明するための図であり、図７において、２０ａ、２０ｂ、２０ｃ、２０ｄは、４個の白色発光ダイオード１４のカソード電源電圧配線である。
また、高速差動信号用配線群１７が両側に形成される配線群Ａ（２１Ａ）と配線群Ｂ（２１Ｂ）とに、同一信号用の配線、同一電源電圧用の配線が存在する場合がある。それらは、高速差動信号用配線群のインピーダンス整合を崩さないように、高速差動信号用配線群１７を避けて共通に接続する必要があるが、このような場合にも、フレキシブル配線基板５上で共通接続することができない。
【００１６】
さらに、本実施例の半導体チップ４では、出力信号、あるいは、出力電圧の中で、再度、半導体チップ４に入力される信号がある。このような信号あるいは電圧は、フレキシブル配線基板５を横切るように形成された配線により、半導体チップの所定の出力電極から所定の入力電極に伝送されるが、高速差動信号用配線群１７が２つの白色発光ダイオード１４の間を通過する場合には、フレキシブル配線基板５を横切るように配線を形成することができないので、フレキシブル配線基板５を横切るように形成された配線を介して、半導体チップ４から出力した出力信号、あるいは、出力電圧を、再度、半導体チップ４に入力させることができない。
また、高速差動信号用配線群１７が形成される領域では、インピーダンス整合を図るために、ＧＮＤ領域（通常はメッシュ配線で実現）を、高速差動信号用配線群１７が形成される面と反対側面の、高速差動信号用配線群１７が形成される領域をすべてを覆うように設置しなければならない。
しかしながら、高速差動信号のインピーダンス整合用のＧＮＤメッシュパターン１８は、電気的特性重視のため、通常フレキシブル配線基板５上に設ける標準のＧＮＤメッシュパターンよりも目の大きさを細かくする必要ある。
そのため、フレキシブル配線基板５の部品を半田付けする工程（半田リフロー工程）を通過した後で、半田実装工程後の反りや変形などを手で修正する場合、ＧＮＤメッシュパターンの目が細かい（単位面積あたりの銅配線量が多い）ほうが弾性が大きいので、元の反り状態に復元しようとする残留応力が大きく、そのため、反り修正作業の障害となる。
【００１７】
そのため、本実施例では、フレキシブル配線基板５の第１面に形成した高速差動信号用配線群１７、およびフレキシブル配線基板５の第２面に形成したＧＮＤメッシュパターン１８を跨がずに、高速差動信号用配線群１７の両側に存在する配線群Ａ（２１Ａ）と配線群Ｂ（２１Ｂ）を伝送する同一の信号（以下、共通信号という）、あるいは、同一の電源電圧（以下、共通電源電圧という）を共通接続する方法として、液晶表示モジュールの外側（即ち、携帯電話機内に設けられた多層プリント配線基板上）で行う。
そのため、本実施例では、高速差動信号用配線群１７によって、フレキシブル配線基板５上で共通接続できない共通信号、あるいは、共通電源電圧は、すべてフレキシブル配線基板５の接続端子部分１０に引き出し、液晶表示モジュールの外側（即ち、携帯電話機内に設けられた多層プリント配線基板上）で共通接続する。
図８は、本実施例のフレキシブル配線基板５上における、白色発光ダイオード１４の電源電圧を供給する配線を説明するための図である。
図８に示すように、本実施例では、液晶表示モジュールの外側で、白色発光ダイオード１４のアノード電源電圧を２つに分離し、一方を、アノード電源電圧配線１９ａを介して、図８の上側の２つの白色発光ダイオード１４に供給し、また、他方を、アノード電源電圧配線１９ｂを介して、図８の下側の２つの白色発光ダイオード１４に供給する。
同様に、液晶表示モジュールの外側で、白色発光ダイオード１４のカソード電源電圧を２つに分離し、一方を、カソード電源電圧配線（２０ａ、２０ｂ）を介して、図８の上側の２つの白色発光ダイオード１４に供給し、また、他方を、カソードアノード電源電圧配線（２０ｃ、２０ｄ）を介して、図８の下側の２つの白色発光ダイオード１４に供給する。
【００１８】
また、半導体チップ４の所定の出力電極から出力された出力信号は、配線群Ｂ（２１Ｂ）の中の所定の配線を通過して、フレキシブル配線基板５の接続端子部分１０から引き出され、液晶表示モジュールの外側の配線を通過して、再度、フレキシブル配線基板５の接続端子部分１０に入力され、配線群Ｂ（２１Ｂ）の中の所定の配線を通過して半導体チップ４の入力電極に入力される。
図９に、本実施例のフレキシブル配線基板５の回路図を示す。
図９のＡが、高速差動信号用配線群１７を示し、図９のＢが高速差動信号用終端抵抗群を示す。また、図９のＤは、従来、フレキシブル配線基板５上で共通接続している共通信号、あるいは、共通電源を示す。なお、図９のＣは、ＧＮＤ電位を供給していることを示している。
図９からも分かるように、複数対の高速差動信号用配線の対線を構成する正極信号用の配線３１と、負極信号用の配線３２との間には終端抵抗３３が接続され、さらに、対線を構成する正極信号用の配線３１と、負極信号用の配線３２の両側には、ＧＮＤ用配線３５が配置されている。
このように、本実施例では、高速差動信号のインピーダンス整合を崩さずに、共通信号あるいは、共通電源電圧を共通接続することが可能であり、動作信頼性を向上させることが可能となる。
また、インピーダンス整合（即ち、高速差動信号の伝送ルールから要求される条件）を実現するために形成されるＧＮＤメッシュパターン１８は、フレキシブル配線基板全体ではなく、最小限の領域に形成することで、フレキシブル配線基板５の物理的な挙動（曲げ反発力や反り修正後の復元力など）を抑えることができ、さらにコスト低減にも寄与することが可能となる。
なお、前述のＧＮＤメッシュパターン１８が形成される最小限の領域とは、図６に示す、対線を構成する正極信号用の配線３１と負極信号用の配線３２と、その外側に形成される一対のＧＮＤ用配線３５を覆う領域が好ましい。
【００１９】
図１０は、本実施例のフレキシブル配線基板５の変形例を示す図である。なお、図１０（ａ）は、フレキシブル配線基板５の第１面を、図１０（ｂ）はフレキシブル配線基板５の第２面を示す。
前述の図２〜図４に示すフレキシブル配線基板５では、高速差動信号用配線群１７は、フレキシブル配線基板５の第１の面に形成されているが、図１０に示すフレキシブル配線基板５では、高速差動信号用配線群１７は、図１０の４１に示すフレキシブル配線基板５の第１部分では、フレキシブル配線基板５の第１の面に形成されるが、図１０の４２に示すフレキシブル配線基板５の第１部分４１に連続する第２部分では、フレキシブル配線基板５の第２の面に形成される。なお、フレキシブル配線基板５の第１の面に形成される複数対の高速差動信号用の配線と、フレキシブル配線基板５の第２の面に形成される複数対の高速差動信号用の配線とは、フレキシブル配線基板５に形成されたコンタクトホールを介して接続されることはいうまでもない。
また、ＧＮＤメッシュパターン１８と、それ以外のＧＮＤメッシュパターンは、フレキシブル配線基板５の第１部分４１の第１の面にのみ形成される。さらに、フレキシブル配線基板５の第１部分４１における、正極信号用の配線３１と、負極信号用の配線３２との間隔（図１０のＰａ）は、フレキシブル配線基板５の第２部分４２における、正極信号用の配線３１と、負極信号用の配線３２との間隔（図１０のＰｂ）よりも狭く（Ｐａ＜Ｐｂ）されており、これにより、フレキシブル配線基板５の第２部分４２において、インピーダンス整合を図っている。
なお、図１０から分かるように、フレキシブル配線基板５の第１部分４１の幅（第１の基板３の短辺に平行な方向の長さ）は、フレキシブル配線基板５の第２部分４２の幅よりも大きい。
なお、本発明は、液晶表示装置に限られず、例えば、有機ＥＬ表示装置など、画素を有する表示装置全般に適用可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００２０】
【図１】本発明の実施例の液晶表示モジュールの液晶表示パネルの概略構成を示すブロック図である。
【図２】本発明の実施例の液晶表示モジュールを表側（液晶表示パネル側、前面側、観察者側）から見た図である。
【図３】本発明の実施例の液晶表示モジュールを裏側（導光板側、背面側、裏側）から見た図である。
【図４】図３においてフレキシブル配線基板を展開した状態を示す図である。
【図５】高速差動信号の伝送方式について説明する図である。
【図６】高速差動信号の伝送方式における、対線を構成する正極信号用の配線と、負極信号用の配線と、ＧＮＤ用配線とを説明するための図である。
【図７】図７は、本発明の問題点を説明するための図である。
【図８】本発明の実施例のフレキシブル配線基板上における、白色発光ダイオードの電源電圧を供給する配線を説明するための図である。
【図９】本発明の実施例のフレキシブル配線基板の回路図である。
【図１０】本発明の実施例のフレキシブル配線基板の変形例を示す図である。
【符号の説明】
【００２１】
１  偏光板
２  第２の基板
３  第１の基板
４  半導体チップ
５  フレキシブル配線基板
６  モールド
７  反射シート
９  抵抗，コンデンサなどの電子部品
１０  接続端子部分
１１  高速差動信号用終端抵抗群
１３  半導体チップの高速差動信号入力電極位置
１４  白色発光ダイオード（ＬＥＤ）
１５  モールドに設けた白色発光ダイオードを収納する空間
１６  両面テープ
１７  高速差動信号用配線群
１８  差動信号の対面に形成させるＧＮＤメッシュパターン
１９，１９ａ〜１９ｂ  アノード電源電圧配線
２０ａ〜２０ｄ    カソード電源電圧配線
２１Ａ  配線群Ａ
２１Ｂ  配線群Ｂ
３１  正極信号用の配線
３２  負極信号用の配線
３３  終端抵抗
３５  ＧＮＤ用配線
４１  フレキシブル配線基板の第１の部分
４２  フレキシブル配線基板の第２の部分
ＯＣＳ  トランスミッタ回路
ＲＥＳ  レシーバー回路
【図１】
2009122318.tif 000003
【図２】
2009122318.tif 000004
【図３】
2009122318.tif 000005
【図４】
2009122318.tif 000006
【図５】
2009122318.tif 000007
【図６】
2009122318.tif 000008
【図７】
2009122318.tif 000009
【図８】
2009122318.tif 000010
【図９】
2009122318.tif 000011
【図１０】
2009122318.tif 000012